(57)【要約】      （修正有）【課題】健康的な小学生等の遊び道具として、ペットボトルの蓋やプラスチック円板を弾として、遠くへ飛ばすためのゴム銃を提供する。【解決手段】先端に、天然ゴムを取り付けるための天然ゴム取り付け部Ａを設けた銃身と、ネジにより銃身に対して回転可能に取り付けられたトリガー弾倉部５と、天然ゴム取り付け部に取り付けられると共に、ゴム銃の弾であるプラスチック円板に引っ掛けられる天然ゴムを有するプラスチック円板飛ばしゴム銃であって、トリガー弾倉部は、プラスチック円板を銃身との間に保持する保持部と、保持部の他端に位置するトリガー押し部Ｅからなり、保持部と銃身とは、輪ゴムにより付勢されることで、通常時は、天然ゴムに引っ掛けられたプラスチック円板を、保持部と銃身との間に保持し、トリガー押し部が操作されると保持を解除することで、天然ゴムに引っ掛けられたプラスチック円板を天然ゴムにより打ち出すことを特徴とする。【選択図】図１
0003199723.tif 000002
【実用新案登録請求の範囲】
【請求項１】
本考案によるゴム銃に弾となるプラスチック円板の溝に天然ゴムを引っかけて、トリガー弾倉部に装填し保持する。これを撃ちたい時にトリガーを操作すると、プラスチック円板が勢いよく発射されることを特徴とする。
【請求項２】
前記、ゴム銃の弾となる専用のプラスチック円板が使用中に紛失したとしても、ペットボトルの蓋が弾として  代用出来る構造としているので、前記同様の効果が得られることを特徴とする。
【考案の詳細な説明】
【技術分野】
【０００１】
本考案は、ペットボトルの蓋やプラスチック円板を弾として、天然ゴムに引っかけて引張り  トリガー弾倉部に装填し、撃ちたい時にトリガー押し部を持ち手の親指で操作し、勢いよくこの弾を飛ばすことが出来る  ゴム銃に関するものである。
【背景技術】
【０００２】
従来は、輪ゴムやメンコを飛ばすゴム銃はあったが  その威力が弱いため的に当たっても容易に倒れたりしないので、迫力不足で小学生等の遊び道具として、あまり利用されていなかった。
【先行技術文献】
【特許文献】
【０００３】
【特許文献１】登録実用新案第３１２９７６７号
【非特許文献】
【０００４】
【非特許文献１】未検索
【考案の概要】
【考案が解決しようとする課題】
【０００５】
本考案は、健康的な小学生等の遊び道具として、屋内外で元気に遊ばせるために  ペットボトルの蓋やプラスチック円板を弾として、天然ゴムに引っかけて引張り  トリガー弾倉部に装填し、撃ちたい時にトリガー押し部を持ち手の親指で操作し、勢いよくこの弾を発射し  遠くへ飛ばすためのゴム銃を提供することを課題としている。
【課題を解決するための手段】
【０００６】
本考案によるゴム銃に取り付けた天然ゴムを  弾となるペットボトルの蓋やプラスチック円板に引っかけて、片手でこの弾を持ち  銃身の上を滑らせながら  ゴム銃とトリガー弾倉部の中に装入する。この時、ゴム銃を持つ手の親指でトリガー弾倉部を開閉操作する。弾の装填が完了したら  後は、的に向けてねらいをつけて  トリガーを押すことにより、トリガー弾倉部が開き  弾の押えがなくなり、勢いよく弾を飛ばすことが出来る。
【考案の効果】
【０００７】
本考案によるゴム銃を使用することにより、屋内外で的当てや撃出し飛距離競争等の遊びが出来る。万が一、人体に当たっても弾がペットボトルの蓋やプラスチック円板なので大けがすることはない。
【図面の簡単な説明】
【０００８】
【図１】図１は、本考案によるゴム銃に弾となる  ペットボトルの蓋をトリガー弾倉部に装填した時の正面図。（実施例１）
【図２】図２は、本考案によるゴム銃に弾となる  ペットボトルの蓋をトリガー弾倉部に装填した時の平面図。（実施例１）
【図３】図３は、本考案によるゴム銃に弾となる  ペットボトルの蓋をトリガー弾倉部に装填した時の右側面図。（実施例１）
【図４】図４は、プラスチック円板の弾の天然ゴム引っかけ溝に、天然ゴムを引っかけた状態を簡略化した平面図。（実施例２）
【図５】図５は、プラスチック円板の弾の天然ゴム引っかけ溝に、天然ゴムを引っかけて  トリガー弾倉部に装填した時の状態を簡略化した断面図。（実施例２）
【図６】図６は、厚みのあるプラスチック円板の弾の天然ゴム引っかけ全周溝に、天然ゴムを引っかけた状態を簡略化した平面図。（実施例３）
【図７】図７は、厚みのあるプラスチック円板の弾の天然ゴム引っかけ全周溝に、天然ゴムを引っかけてトリガー弾倉部に装填した時の状態を簡略化した部分正面図。（実施例３）
【考案を実施するための形態】
【０００９】
本考案は、ペットボトルの蓋やプラスチック円板を弾として、天然ゴムに引っかけて引張り  トリガー弾倉部に装填し、撃ちたい時にトリガー押し部を持ち手の親指で操作し、勢いよくこの弾を飛ばすことが出来る  ゴム銃に関するものである。
【実施例】
【００１０】
図１の実施例１は、本考案によるゴム銃に弾となる  ペットボトルの蓋をトリガー弾倉部に装填した時の正面図である。
３は、本考案によるゴム銃であり、プラスチック樹脂材料等で射出成形により、一体成形する。５のトリガー弾倉部の上部にBの輪ゴム取り付け部を設ける。これに６の輪ゴムを引っかけ、Cの輪ゴム案内溝を通り  Dの輪ゴム通し溝を通り  反対側のCの輪ゴム通し溝を通り  Bの輪ゴム取り付け部に引っかける。一重で強度が出ない場合は、二重や三重にし、更に本数を増やして対応する。５のトリガー弾倉部は、７のネジ、８の座金、９のナットにて、３のゴム銃に取り付ける。この時  ７のネジ側を丸ざぐり、９のナット側を六角ざぐり加工を施しておくと、ネジやナットの突起がなくて安全である。６の輪ゴムの力で  ３のゴム銃と５のトリガー弾倉部は接触し、閉の状態となる。ここでEのトリガー押し部を持ち手の親指で押すと  ５のトリガー弾倉部が開となる。この状態で弾に１の天然ゴムを引っかけ、３のゴム銃と５のトリガー弾倉部の間に入れ込み  親指を離すと弾が装填出来る。５のトリガー弾倉部もプラスチック樹脂材料等で射出成形により、一体成形する。Eのトリガー押し部は滑り止めの凹凸の溝加工が必要である。又、３のゴム銃の持ち手部も同様である。
【００１１】
図２の実施例１は、本考案によるゴム銃に弾となる  ペットボトルの蓋をトリガー弾倉部に装填した時の平面図である。
１の天然ゴムの両端を小さな輪とし、これを２の糸で縛り、３のゴム銃の銃身先端  Aの天然ゴム取り付け部  左右二ヶ所にそれぞれ引っかける。弾となる４のペットボトルの蓋及び１０のプラスチック円板の弾の外径は約３０ミリで、５のトリガー弾倉部に装填出来る厚みは、最大で約１６ミリ程度を想定している。４又は１０の弾を５のトリガー弾倉部に装填する時、弾の中心がずれないよう  Fの弾のガイド部が必要である。
【００１２】
図３の実施例１は、本考案によるゴム銃に弾となる  ペットボトルの蓋をトリガー弾倉部に装填した時の右側面図である。
【００１３】
図４の実施例２は、プラスチック円板の弾の天然ゴム引っかけ溝に、天然ゴムを引っかけた状態を簡略化した平面図である。
１０のプラスチック円板の弾の厚みは、６ミリ程度を想定しており、３カ所にGの天然ゴム引っかけ溝を設け  素早く弾の装填が出来る構造とした。  又、角部を無くして丸みを付けて安全性に考慮した構造としている。
【００１４】
図５の実施例２は、プラスチック円板の弾の天然ゴム引っかけ溝に、天然ゴムを引っかけて  トリガー弾倉部に装填した時の状態を簡略化した断面図である。
１０のプラスチック円板の断面形状は、４のペットボトルの蓋の上部断面形状に近似させた方が、５のトリガー弾倉部との  離れが均一に行える。
【００１５】
図６の実施例３は、厚みのあるプラスチック円板の弾の天然ゴム引っかけ全周溝に、天然ゴムを引っかけた状態を簡略化した平面図である。
１１の厚みのあるプラスチック円板の弾の厚みは、６ミリ〜１０ミリ程度を想定しており、円板の側面にHの天然ゴム引っかけ全周溝を設け  素早く弾の装填が出来る構造とした。又、１１の厚みのあるプラスチック円板の弾の中心部をくりぬいて中空構造としたり、中心部の厚みを薄くして  軽量化すると材料の節約が出来ると共に、万が一人体に当たっても痛みが軽減出来る。これは、１０のプラスチック円板の弾も同様である。
【００１６】
図７の実施例３は、厚みのあるプラスチック円板の弾の天然ゴム引っかけ全周溝に、天然ゴム引っかけて  トリガー弾倉部に装填した時の状態を簡略化した部分正面図である。
【産業上の利用可能性】
【００１７】
撃ち出す弾をフリスビー等に替えて、銃身先端部の天然ゴム取り付け部を弓状に広げて、トリガー弾倉部でフリスビー等の上部を押さえ込む構造とすることで、フリスビー等の撃ち出しアローゴム銃等の別の遊具として使用出来る。又、撃ち出す弾にキャラクター等のシールを貼り付ければ、宣伝効果等が得られる。
【符号の説明】
【００１８】
１  天然ゴム
２  糸
３  ゴム銃
４  ペットボトルの蓋
５  トリガー弾倉部
６  輪ゴム
７  ネジ
８  座金
９  ナット
１０  プラスチック円板の弾
１１  厚みのあるプラスチック円板の弾
A  天然ゴム取り付け部
B  輪ゴム取り付け部
C  輪ゴム案内溝
D  輪ゴム通し溝
E  トリガー押し部  
F  弾のガイド部
G  天然ゴムの引っかけ溝
H  天然ゴムの引っかけ円周溝
【図１】
0003199723.tif 000003
【図２】
0003199723.tif 000004
【図３】
0003199723.tif 000005
【図４】
0003199723.tif 000006
【図５】
0003199723.tif 000007
【図６】
0003199723.tif 000008
【図７】
0003199723.tif 000009
【手続補正書】
【提出日】平成27年5月14日(2015.5.14)
【手続補正１】
【補正対象書類名】実用新案登録請求の範囲
【補正対象項目名】全文
【補正方法】変更
【補正の内容】
【実用新案登録請求の範囲】
【請求項１】
ペットボトルの蓋と同外径のプラスチック円板を専用のゴム銃の弾として、前記弾の溝部に天然ゴムを引っ掛けて、打ち出すことを特徴とするプラスチック円板飛ばしゴム銃。
【請求項２】
ペットボトルの蓋の側面に、請求項１に記載のプラスチック円板飛ばしゴム銃の天然ゴムをまわし掛けて、打ち出すことを特徴とする請求項１に記載のプラスチック円板飛ばしゴム銃。
【手続補正書】
【提出日】平成27年7月3日(2015.7.3)
【手続補正１】
【補正対象書類名】実用新案登録請求の範囲
【補正対象項目名】全文
【補正方法】変更
【補正の内容】
【実用新案登録請求の範囲】
【請求項１】
先端に、天然ゴムを取り付けるための天然ゴム取り付け部を設けた銃身と、ネジにより銃身に対して回転可能に取り付けられたトリガー弾倉部と、天然ゴム取り付け部に取り付けられると共に、ゴム銃の弾であるプラスチック円板に引っ掛けられる天然ゴムを有するプラスチック円板飛ばしゴム銃であって、トリガー弾倉部は、プラスチック円板を銃身との間に保持する保持部と、保持部の他端に位置するトリガー押し部からなり、保持部と銃身とは、輪ゴムにより付勢されることで、通常時は、天然ゴムに引っ掛けられたプラスチック円板を、保持部と銃身との間に保持し、トリガー押し部が操作されると保持を解除することで、天然ゴムに引っ掛けられたプラスチック円板を天然ゴムにより打ち出すことを特徴とするプラスチック円板飛ばしゴム銃。
【請求項２】
ゴム銃の弾として、ペットボトルの蓋を用いたことを特徴とする請求項１に記載のプラスチック円板飛ばしゴム銃。